(57)【要約】【課題】ＬＥＤランプと器具本体等との位置関係のずれを小さくすることのできる照明器具を提供する。【解決手段】ＬＥＤランプ１の口金１２が着脱自在に装着されるソケット２と、ソケット２が取り付けられるアダプタ３と、アダプタ３を介してソケット２を機械的に保持する器具本体４とを備え、アダプタ３には、器具本体４に固定される側板３１が設けられ、側板３１及び器具本体４には、器具本体４が取り付けられる造営面と垂直な方向に沿ってアダプタ３の位置を調整可能な調整手段が設けられ、調整手段は、側板３１に設けられて造営面と垂直な方向に沿って並設された複数のスリット３１Ａと、器具本体４に設けられてスリット３１Ａのうち何れかのスリット３１Ａに挿入される取付片４０とから成る。【選択図】図１
2012043621.tif 000002
【特許請求の範囲】
【請求項１】
ＬＥＤランプの口金が着脱自在に装着されるソケットと、前記ソケットが取り付けられるアダプタと、前記アダプタを介して前記ソケットを機械的に保持する器具本体とを備え、前記アダプタには、前記器具本体に固定される固定部が設けられ、前記固定部及び前記器具本体には、前記器具本体が取り付けられる造営面と垂直な方向に沿って前記アダプタの位置を調整可能な調整手段が設けられたことを特徴とする照明器具。
【請求項２】
前記調整手段は、前記固定部に設けられて前記造営面と垂直な方向に沿って並設された複数のスリットと、前記器具本体に設けられて前記スリットのうち何れかのスリットに挿入される取付片とから成ることを特徴とする請求項１記載の照明器具。
【発明の詳細な説明】
【技術分野】
【０００１】
本発明は、ＬＥＤランプを光源とする照明器具に関する。
【背景技術】
【０００２】
従来から、室内又は屋外に設置される照明器具の光源として蛍光灯が多く用いられてきた。一般に使用されている直管型の蛍光灯は、放電ガスが充填されるとともに蛍光体が内面に塗布されたランプ本体と、ランプ本体の長手方向の両端に各々設けられて電源に接続するための１対の給電用端子を夫々有する口金とを備えている。このような蛍光灯は、各給電用端子を器具本体に取り付けられる１対のソケットのピン穴にそれぞれ差し込むことによりソケットに装着される。そして、蛍光灯の各給電用端子が点灯装置を介して商用電源に接続されることで、蛍光灯に点灯電力が供給されて点灯するように構成されている。
【０００３】
近年では、ＬＥＤ（発光ダイオード）の発光効率の上昇に伴って、低消費電力で且つ長寿命であるＬＥＤランプが照明器具の光源として用いられる事が可能となっており、例えば特許文献１に開示されているようなものがある。このようなＬＥＤランプは、既存の蛍光灯用の照明器具でも使用できるように、例えば従来の直管型の蛍光灯と同様のランプ本体と口金とを備えて構成される。但し、従来の蛍光灯とは異なり、ランプ本体の内部には、一面に複数のＬＥＤを実装した基板が収納される。而して、既存の蛍光灯用の照明器具にＬＥＤランプを取り付けて使用することができるため、ＬＥＤランプ用に新たに照明器具を製造する必要がない。
【先行技術文献】
【特許文献】
【０００４】
【特許文献１】特開２００９−４３４４７号公報
【発明の概要】
【発明が解決しようとする課題】
【０００５】
ところで、従来の蛍光灯用の照明器具では、蛍光灯のランプ本体及び口金の形状や寸法等の規格が定まっていることから、蛍光灯が装着されるソケットの規格も定まっている。蛍光灯用のソケットには、蛍光灯を装着するための構造と、器具本体に取り付けるための構造とが一体に備わっている。したがって、照明器具の器具本体にソケットを取り付けるだけで蛍光灯を着脱自在に装着することができる。
【０００６】
一方、上記のような照明用の光源としてのＬＥＤランプの登場はごく最近の事であり、従来の蛍光灯のようにＬＥＤランプの規格が定まっていない。このため、ＬＥＤランプのランプ本体の形状や寸法、及び口金の形状や寸法等はＬＥＤランプを製造する製造者（メーカ）に応じて多種多様である。また、ＬＥＤの高出力化に伴ってＬＥＤランプが小型化されると、小型化に応じてランプ本体及び口金の形状や寸法等が変更されるため、更に多種多様となる。
【０００７】
したがって、従来の蛍光灯用の照明器具のソケットを使用することができず、多種多様なＬＥＤランプ毎に対応する構造を有するソケットを用意しなければならない。更に、照明器具の器具本体に関しても、従来の蛍光灯用の器具本体のみならず他の形態を有する器具本体を採用する可能性がある。このことから、器具本体毎に対応する構造を有するソケットを用意しなければならず、結果として、今後増加するであろうＬＥＤランプ及び器具本体のバリエーションに対応するソケットを個別に用意しなければならないという問題があった。この問題を解決するために、本願の発明者らは、ＬＥＤランプを装着するための構造と、器具本体に取り付けるための構造とをソケットとアダプタとで別体に設けた照明器具を考案している。
【０００８】
ところで、従来の蛍光灯用の照明器具では、蛍光灯からの光による最適な配光を得るために、蛍光灯と器具本体との位置関係、又は蛍光灯と器具本体に取り付けられる反射体との位置関係を設定していた。勿論、ＬＥＤランプを光源とする照明器具においても、最適な配光を得るためにＬＥＤランプと器具本体との位置関係、又はＬＥＤランプと反射体との位置関係を設定する。しかしながら、上述のようにＬＥＤランプのランプ本体の寸法が多種多様であることから、径寸法の異なるＬＥＤランプを使用する場合、ＬＥＤランプと器具本体又は反射体との位置関係がずれてしまい、最適な配光を得ることができないという問題があった。
【０００９】
本発明は、上記の点に鑑みて為されたもので、ＬＥＤランプと器具本体等との位置関係のずれを小さくすることのできる照明器具を提供することを目的とする。
【課題を解決するための手段】
【００１０】
本発明の照明器具は、ＬＥＤランプの口金が着脱自在に装着されるソケットと、前記ソケットが取り付けられるアダプタと、前記アダプタを介して前記ソケットを機械的に保持する器具本体とを備え、前記アダプタには、前記器具本体に固定される固定部が設けられ、前記固定部及び前記器具本体には、前記器具本体が取り付けられる造営面と垂直な方向に沿って前記アダプタの位置を調整可能な調整手段が設けられたことを特徴とする。
【００１１】
この照明器具において、前記調整手段は、前記固定部に設けられて前記造営面と垂直な方向に沿って並設された複数のスリットと、前記器具本体に設けられて前記スリットのうち何れかのスリットに挿入される取付片とから成ることが好ましい。
【発明の効果】
【００１２】
本発明は、アダプタの固定部及び器具本体に設けられた調整手段によって、器具本体に取り付けられるアダプタの造営面に垂直な方向における取付位置を調整することができる。したがって、アダプタに取り付けられるソケットに関しても造営面に垂直な方向における取付位置を調整することができる。このため、径寸法の異なるＬＥＤランプを使用する場合にも、ソケットの取付位置を調整することでＬＥＤランプと器具本体との位置関係のずれを小さくすることができる。
【図面の簡単な説明】
【００１３】
【図１】本発明に係る照明器具の実施形態を示す図で、（ａ）はソケットをアダプタに取り付ける前の要部斜視図で、（ｂ）はアダプタを器具本体に取り付ける前の要部斜視図で、（ｃ）はアダプタを器具本体に取り付けた後の要部斜視図である。
【図２】同上のソケットのアダプタへの取付方法を示す図で、（ａ）は正面図で、（ｂ）は（ａ）におけるＡ−Ａ’線断面矢視図である。
【図３】同上のＬＥＤランプを示す斜視図である。
【図４】同上の組立前の状態を示す分解斜視図である。
【図５】同上のＬＥＤランプを取り付けた状態を示す全体斜視図である。
【発明を実施するための形態】
【００１４】
以下、本発明に係る照明器具の実施形態について図面を用いて説明する。尚、以下の説明では、図１（ａ）における上下を上下方向と定めるものとする。本実施形態は、図１（ａ）に示すように、直管型のＬＥＤランプ１が着脱自在に装着される１対（図示では１つ）のソケット２と、ソケット２が取り付けられるアダプタ３と、アダプタ３を介してソケット２を機械的に保持する器具本体４とを備える。
【００１５】
ＬＥＤランプ１は、図３に示すように、直管型のランプ本体１０と、ランプ本体１０の長手方向における両端に設けられた口金１１，１２と、各口金１１，１２からそれぞれ突設される１対の丸棒状の給電用端子１３、接地用端子１４とから構成される。ランプ本体１０の内部には、図示しないが複数のＬＥＤを実装した基板が収納されており、これらＬＥＤのアノード及びカソードと各給電用端子１３とが電気的に接続されている。而して、給電用端子１３を介して各ＬＥＤに点灯電力を供給することでＬＥＤランプ１を点灯させるようになっている。
【００１６】
ソケット２は、図１（ａ）に示すように、外郭がＵ字状に形成された箱体から成るソケット本体２０と、ソケット本体２０の上端部に一体に形成されて後述するアダプタ３の取付孔３０Ａの外周縁に載置される矩形板状の基台部２１とから構成される。ソケット本体２０の下端部には、下面及び前面（図１（ａ）における紙面手前側の面）が開口するとともに、ＬＥＤランプ１の接地用端子１４の頭部１４Ａをスライド自在に挿入可能とする挿入凹部２０Ａが設けられている。この挿入凹部２０Ａの内部には、接地用端子１４の頭部１４Ａを挟持して機械的に保持する１対の刃受け２２が設けられている。この刃受け２２は、一端部に接地用ビン２４が設けられているＬ字状の連結片２３の他端部に設けられている。これらの部材は、例えば銅等の導電性材料から成る金属板によって一体に形成されている。接地用ピン２４は、基台部２１から下向きに突出する形で設けられており、ソケット２をアダプタ３に取り付ける際に後述するアダプタ３のピン挿入孔３０Ｂに挿入される。
【００１７】
また、ソケット本体２０の短手方向（図１（ａ）における左右方向）における両側面には、外向きに突出する断面三角形状の突部２０Ｂがそれぞれ一体に形成されている。ここで、ソケット本体２０の短手方向の幅寸法は、アダプタ３の取付孔３０Ａの前記方向における幅寸法よりも小さい。一方、各突部２０Ａが設けられた位置におけるソケット本体２０の短手方向の幅寸法は、取付孔３０Ａの前記方向における幅寸法よりも大きくなっている。但し、各突部２０Ｂを取付孔３０Ａの内周縁に押し当てることでソケット本体２０を取付孔３０Ａに挿入できるようになっている。
【００１８】
尚、上記の説明では、１対のソケット２のうち接地用端子１４が接続される側のソケット２について説明したが、他方のソケット２の構造も基本的に同じである。但し、他方のソケット２では、挿入凹部２０Ａ及び刃受け２２の構造が給電用端子１３を機械的に保持するための構造となっている。この給電用端子１３を機械的に保持するための構造は、従来の蛍光灯用ソケットの構造と同じであり従来周知なので、ここでは詳細な説明を省略する。
【００１９】
アダプタ３は、図１（ａ）に示すように、正方形状の主板３０と、主板３０の対向する２辺から各々上向きに突出する矩形状の１対の側板３１とを一体に形成して成る。主板３０には、厚み方向に貫通するとともにソケット２のソケット本体２０を挿入可能とする矩形状の取付孔３０Ａが設けられている。また、主板３０の取付孔３０Ａの近傍には、厚み方向に貫通するとともにソケット２の接地用ピン２４を挿入可能とする円形状のピン挿入孔３０Ｂが設けられている。
【００２０】
各側板３１には、その長手方向の一端縁（図１（ａ）における右端縁）から他端縁（図１（ａ）における左端縁）の手前にかけて切り欠いて設けられた細長のスリット３１Ａが、それぞれ複数（図示では３つ）設けられている。これらスリット３１Ａは、各側板３１において、器具本体４が取り付けられる天井等の造営面５と垂直な方向（上下方向）に沿って並設されている。各スリット３１Ａの長手方向の一端部は開口されており、この開口部分から器具本体４の後述する取付片４０Ａをスライド自在に挿入可能としている。したがって、各スリット３１Ａを含めた各側板３１が器具本体４の固定される固定部となる。尚、各スリット３１Ａの開口部分には、外に向かうに従って上下方向の幅寸法が大きくなるようなテーパ３１Ｂがそれぞれ設けられている。而して、アダプタ３を器具本体４の後述する取付台部４０に取り付ける際に、各テーパ３１Ｂに沿わせて各スリット３１Ａ内に取付片４０Ａを挿入することができるので、アダプタ３を容易に取り付けることができる。
【００２１】
器具本体４は、図４に示すように、下面を開口した長尺の箱体から成り、その上面の長手方向における中央部には、造営面５の上方から埋込孔５０を介して垂下される電源線５１を通すための円形状の電線挿入孔４Ａが設けられている。また、器具本体４上面の長手方向における電線挿入孔４Ａを挟んだ両側には、造営面５の上方から埋込孔５０を介して垂下される吊ボルト５２を通すためのボルト挿入孔４Ｂがそれぞれ設けられている。また、器具本体４内部における電線挿入孔４Ａの近傍には、電源線５１が接続されるコネクタや点灯装置を構成する回路部品４１が設けられている。点灯装置は、電源線５１を介して供給される商用電源（図示せず）からの交流電力をＬＥＤランプ１を点灯させるために必要な直流電力に変換し、当該直流電力をソケット２を介してＬＥＤランプ１に供給するものである。尚、このような点灯装置は従来周知であるので、ここでは詳細な説明を省略する。
【００２２】
器具本体４の長手方向における両端部には、図４に示すように、アダプタ３を取付固定するための取付台部４０がそれぞれ設けられている。取付台部４０は、図１（ａ）に示すように、例えば金属板を断面コ字状に折り曲げて成り、その下端縁にはアダプタ３の各スリット３１Ａに挿入される取付片４０Ａが一体に形成されている。而して、取付台部４０の各取付片４０Ａをアダプタ３の各スリット３１Ａに挿入することで、アダプタ３が器具本体４に取付固定されるようになっている。
【００２３】
また、器具本体４の長手方向における中央部を挟んだ両側には、図４に示すように、器具本体４を造営面５の埋込孔５０内に取り付けるための取付具４２がそれぞれ設けられている。取付具４２は、例えば金属材料から成り、その下面には、後述する反射体６を器具本体４に取り付けるための取付ねじ７０が締め付けられる雌ねじ部（図示せず）が内面に形成されたねじ孔４２Ａが設けられている。また、取付具４２には、その器具本体４の短手方向に沿った両側からそれぞれ下向きに湾曲する形で１対の支持片４２Ｂが一体に形成されている。これら支持片４２Ｂは、器具本体４を造営面５の埋込孔５０に埋込配設する際に、埋込孔５０の内周縁に押されて互いに近付く向きに撓む。而して、各支持片４２Ｂが復帰する向きの付勢力によって埋込孔５０の内周縁を押圧するため、器具本体４が埋込孔５０内で固定される。
【００２４】
反射体６は、図４に示すように、例えばアルミ材等から成り、下面が開口するとともに下面側に向かうにつれて開口面積が大きくなる長尺の箱体に形成されている。この反射体６の内面は反射材（図示せず）で塗装されており、これによりＬＥＤランプ１からの光を下方へ反射する反射面が形成されている。また、反射体６の上面の長手方向における両端部には、ソケット２を反射体６の内側に配置するための矩形状のソケット挿入孔６Ａがそれぞれ設けられている（図示では１つ）。更に、反射体６の上面には、取付ねじ７０が挿入される１対の円形状のねじ挿入孔６Ｂが取付具４２の各ねじ孔４２Ａに対応するように設けられている。
【００２５】
以下、本実施形態の組立方法について図面を用いて説明する。先ず、図２（ａ），（ｂ）に示すように、ソケット本体２０の下端部をアダプタ３の取付孔３０Ａに上側から挿入し、ソケット本体２０の各突部２０Ｂと基台部２１との間でアダプタ３の取付孔３０Ａの周縁を挟み込むことで、ソケット２をアダプタ３に取り付ける。この時、ソケット２の接地用ピン２４がアダプタ３のピン挿入孔３０Ｂに挿入される。而して、ソケット２は、図１（ｂ）に示すような形でアダプタ３に取り付けられることになる。次に、器具本体４の取付台部４０の各取付片４０Ａにアダプタ３の各スリット３１Ａを開口部分から挿入し、アダプタ３を押し込むようにスライドさせる。而して、アダプタ３は、図１（ｃ）に示すような形で器具本体４の取付台部４０に取付固定される。尚、上記では、一方のソケット２及びアダプタ３を器具本体４の長手方向の一端部に取り付ける場合について説明したが、他方のソケット２及びアダプタ３も同様の方法で器具本体４の長手方向の他端部に取り付けることができる。
【００２６】
次に、図４に示すように、造営面５の上方から垂下される電源線５１、及び２本の吊ボルト５２を器具本体４の電線挿入孔４Ａ、及び１対のボルト挿入孔４Ｂにそれぞれ挿入する。そして、電源線５１を回路部品４１のコネクタに接続するとともに、器具本体４の下側から各吊ボルト５２にワッシャ７１を嵌めた状態でナット７２を締め付けることで、器具本体４を造営面５の埋込孔５０に埋込配設することができる。その後、各ソケット２を反射体６の各ソケット挿入孔６Ａに挿入し、取付ねじ７０を反射体６の各ねじ挿入孔６Ｂ、及び取付具４２の各ねじ孔４２Ａに挿入して締め付けることで、反射体６を器具本体４に取り付けることができ、本実施形態の組立が完成する。そして、ＬＥＤランプ１の各口金１１，１２を各ソケット２に装着することで、ＬＥＤランプ１を本実施形態に取り付けることができる。
【００２７】
ここで、アダプタ３を取付台部４０に取り付ける際に、取付片４０Ａを上下方向に沿って並設された各スリット３１Ａの何れのスリット３１Ａに挿入するかによって、アダプタ３の上下方向における取付位置を調整することができる。即ち、アダプタ３の各スリット３１Ａと、器具本体４の取付片４０Ａとで「調整手段」を構成している。本実施形態では、各側板３１に上下方向に沿って３つのスリット３１Ａが並設されているので、何れのスリット３１Ａを選択するかによってアダプタ３の上下方向における取付位置を３段階に調整することができる。例えば、アダプタ３の取付位置を器具本体４に近付けたい場合には、一番下側のスリット３１Ａに取付片４０Ａを挿入すればよい。また、アダプタ３の取付位置を器具本体４から遠ざけたい場合には、一番上側のスリット３１Ａに取付片４０Ａを挿入すればよい。
【００２８】
上述のように、本実施形態では、アダプタ３の側板３１の各スリット３１Ａと、器具本体４の取付台部４０の取付片４０Ａとから構成される調整手段によって、器具本体４に取り付けられるアダプタ３の上下方向における取付位置を調整することができる。したがって、アダプタ３に取り付けられるソケット２に関しても上下方向における取付位置を調整することができる。このため、径寸法の異なるＬＥＤランプ１を使用する場合にも、ソケット２の取付位置を調整することでＬＥＤランプ１と器具本体４との位置関係、又はＬＥＤランプ１と反射体６との位置関係のずれを小さくすることができる。
【符号の説明】
【００２９】
１  ＬＥＤランプ
１２  口金
２  ソケット
３  アダプタ
３１  側板（固定部）
３１Ａ  スリット（固定部、調整手段）
４  器具本体
４０Ａ  取付片（調整手段）
【図１】
2012043621.tif 000003
【図２】
2012043621.tif 000004
【図３】
2012043621.tif 000005
【図４】
2012043621.tif 000006
【図５】
2012043621.tif 000007